(57)【要約】      （修正有）【課題】便利で製造コストを減少することができ、省スペースに収納可能であり、全体の構造が強靭な袋を提供する。【解決手段】少なくとも一つの本体５を含み、本体５は、底面が封止され、上面が袋開口５１であり、正面が袋表面５３を有し、背面が袋表面５４を有する袋において、袋表面５３、５４の袋開口５１近傍に、互いに対応する折巻き部５３０、５４０がそれぞれ設けられ、折巻き部５３０、５４０の下方には、互いに対応する取っ手部５３１、５４１がそれぞれ設けられ、取っ手部５３１、５４１の下縁部を袋表面５３、５４から持ち上げられると穴がそれぞれ形成される。【選択図】図６
0003160983.tif 000002
【実用新案登録請求の範囲】
【請求項１】
少なくとも一つの本体（５）を含み、前記本体（５）は、底面が封止され、上面が袋開口（５１）であり、正面に袋表面（５３）を有し、背面に袋表面（５４）を有する袋において、
前記袋表面（５３、５４）の前記袋開口（５１）近傍には、互いに対応する折巻き部（５３０、５４０）がそれぞれ設けられ、前記折巻き部（５３０、５４０）の下方には、互いに対応する取っ手部（５３１、５４１）がそれぞれ設けられ、前記取っ手部（５３１、５４１）の下縁部が前記袋表面（５３、５４）から持ち上げられると穴（５３２、５４２）がそれぞれ形成されることを特徴とする袋。
【請求項２】
前記本体（５）の左右側面（５２）には、前記本体（５）の縦方向に沿う折り線（５２１）がそれぞれ形成され、前記取っ手部（５３１、５４１）の両側が二つの前記折り線（５２１）の間に設けられることを特徴とする、請求項１に記載の袋。
【請求項３】
前記取っ手部（５３１、５４１）周縁は、予め切られて構成されることを特徴とする、請求項１に記載の袋。
【請求項４】
前記取っ手部（５３１、５４１）周縁は、複数の貫通孔から構成される引裂き線で構成され、前記引裂き線は容易に引き裂くことができることを特徴とする、請求項１に記載の袋。
【請求項５】
前記袋表面（５３、５４）の内側の前記穴（５３２、５４２）の周縁には、前記穴（５３２、５４２）を補強する保護シート（８）が設けられることを特徴とする、請求項１に記載の袋。
【請求項６】
前記保護シート（８）は筐体であることを特徴とする、請求項５に記載の袋。
【考案の詳細な説明】
【技術分野】
【０００１】
本考案は、袋に関するものである。
【背景技術】
【０００２】
袋が、包装材として利用される場合には、製造コストが低く、強度を有し、持上げが便利であり清潔であることなどが要求される。また、袋が、包装対象物を収容するために利用された場合には、廃棄の際に環境を汚染せず、体積が小さく省スペースに収納可能であることなどが要求される。ビニル袋が使用されていないスーパーマーケットでは、包装対象物を収容するために平口袋を利用することが一般である。しかし、通常の平口袋には取っ手部が無いため、容易に持上げることができない。
【０００３】
図１及び図２を参照する。従来の平口袋１ａは、製造が簡単であるため製造コストを大幅に低減することができるが、利用するときには袋開口２ａを折畳んで、手で袋開口２ａを握ることが一般である。しかし、より重い品物を収容する場合には、袋開口２ａを折畳むことのみでは支持力不足であるため、袋開口２ａの両端にある折りコーナー２１ａを折畳むことも必要である。
【０００４】
図３を参照する。従来の平口袋１ｂは、袋の持上げを容易にするために、袋開口２ｂ近傍に取っ手４ｂが設けられ、樹脂または紙で製造される。しかし、平口袋１ｂが樹脂で製造される場合には、樹脂の弾性により平口袋１ｂに重い包装対象物を収容する際に、取っ手４ｂの上縁の樹脂が伸びて薄くなり、これにより、平口袋１ｂが変形して収納が困難になり、且つ平口袋１ｂの再度の利用も困難になる。なお、平口袋１ｂが紙で製造される場合には、取っ手４ｂを設けることで袋開口２ａ近傍の強度が保たれないことから、平口袋１ｂにより重い包装対象物を収容する際には、取っ手４ｂから破れてしまうことがある。
【０００５】
図４を参照する。従来の平口袋１ｃは、袋開口２ｃの略中央の縄３ｃが固定される。そうすると、製造作業が複雑になるため製造コストが増加し、且つ平口袋１ｃに収容される包装対象物の全重量が袋開口２ｃと縄３ｃの接続箇所にかかることになるため、袋開口２ｃが破れ易くなる。さらに、縄３ｃが設けられた平口袋１ｃを収納し、又は輸送するときには縄３ｃにより袋開口２ｃに折り目等がつくため、全体の見栄えが悪くなる。
【０００６】
図５を参照する。従来の平口袋１ｄは、袋開口部２ｄ近傍に取っ手４ｄを有する。そして、取っ手４ｄの強度を増加するために取っ手４ｄに補強シート４１ｄが設けられている。しかし、取っ手４ｄに補強シート４１ｄを設けると、製造作業が複雑になり製造コストが増加する。さらに補強シート４１ｄに自然分解されない材料を使用した場合、廃棄の際に環境を汚染するおそれがある。
【考案の概要】
【考案が解決しようとする課題】
【０００７】
本考案の主な目的は、便利であり、製造コストを減少することができ、省スペースに収納することが可能でり、全体が強度を有する構成である袋を提供することにある。
【課題を解決するための手段】
【０００８】
本考案における袋は、少なくとも一つの本体５を含み、本体５は、底面が封止され、上面が袋開口５１であり、正面に袋表面５３を有し、背面に袋表面５４を有する袋において、袋表面５３、５４の袋開口５１近傍には、互いに対応する折巻き部５３０、５４０がそれぞれ設けられ、折巻き部５３０、５４０の下方には、互いに対応する取っ手部５３１、５４１がそれぞれ設けられ、前記取っ手部５３１、５４１の下縁部が前記袋表面５３、５４から持ち上げられると穴５３２、５４２がそれぞれ形成されることを特徴とする。
【０００９】
本考案における袋は、本体５の左右側面５２には、本体５の縦方向に沿う折り線５２１がそれぞれ形成され、取っ手部５３１、５４１の両側が二つの前記折り線５２１の間に設けられることを特徴とする。
【００１０】
本考案における袋は、取っ手部５３１、５４１周縁は、予め切られて構成されることを特徴とする。
【００１１】
本考案における袋は、取っ手部５３１、５４１周縁は、複数の貫通孔から構成される引裂き線で構成され、引裂き線は容易に引き裂くことができることを特徴とする。
【００１２】
本考案における袋は、袋表面５３、５４の内側の穴５３２、５４２の周縁には、穴５３２、５４２を補強する保護シート８が設けられることを特徴とする。
【００１３】
本考案における袋は、保護シート８は筐体であることを特徴とする。
【考案の効果】
【００１４】
本考案の袋によれば、次のような効果がある。
【００１５】
（１）プレス加工により取っ手部を製造することができるため、製造コストが低く、製造工数が少なくなる。
【００１６】
（２）本考案の袋は、容易に持上げることができるため、利用が極めて便利である。
【００１７】
（３）本考案の袋は、取っ手部を車両の固定フックに掛けることができるため、携帯性が極めて良い。
【００１８】
（４）折畳まれる袋開口により本考案の取っ手部の支持力の強度が増加し、且つ製造コストが低く、省スペースに収納することが可能であることから、容易に輸送することができる。
【図面の簡単な説明】
【００１９】
【図１】従来の袋開口折り巻式の平口袋の斜視図である。
【図２】従来のコーナー折り巻式の平口袋の斜視図である。
【図３】従来の取っ手付平口袋の斜視図である。
【図４】従来の縄付き平口袋の斜視図である。
【図５】従来の補強シートに補強された取っ手を有する平口袋の斜視図である。
【図６】本考案の平口袋の斜視図である。
【図７】本考案の袋開口と取っ手部との使用状態を示す一部破断斜視図である。
【図８】本考案の平口袋がユーザの手に持上げられる状態を示す斜視図である。
【図９】本考案の平口袋が車両の固定フックに固定される状態を示す斜視図である。
【図１０】本考案の平口袋の取っ手部の周縁に、保護シートが設けられた状態の実施例を示す斜視図である。
【考案を実施するための最良の形態】
【００２０】
以下、本考案の実施の形態を図面に基づいて説明する。
（実施例１）
まず、図６を参照する。本考案の袋は、少なくとも一つの本体５を含み、本体５は、底面が封止され、上面が袋開口５１であり、正面に袋表面５３を有し、背面に袋表面５４を有し、袋表面５３、５４の袋開口５１近傍では、互いに対応する折巻き部５３０、５４０がそれぞれ設けられ、折巻き部５３０、５４０の下方には、互いに対応する取っ手部５３１、５４１がそれぞれ設けられる。本体５の左右側面５２には、本体５の縦方向に沿う折り線５２１がそれぞれ形成され、取っ手部５３１、５４１の両側が二つの折り線５２１の間に設けられる。本実施例では、取っ手部５３１、５４１の上縁は袋表面５３、５４に接続され、取っ手部５３１、５４１の下縁は、プレス加工により予め切れられていても良く、複数の貫通孔から構成され容易に引き裂くことができる引裂き線にしても良い。また、取っ手部５３１、５４１は、円形を呈しても良く、矩形を呈しても良い。さらに、円弧形状を呈しても良く、その他の何れかの幾何形状を呈しても良い。取っ手部５３１、５４１とその穴５３２、５４２（図７参照）により、袋５の実用性を向上させることができる。
【００２１】
図７を参照しながら本考案の使用方法を説明する。袋５の上端の袋表面５３、５４に対応する折巻き部５３０、５４０を、袋表面５３へ取っ手部５３１、５４１の上まで折り巻くと、折り辺５５が形成される。そうすると、袋５の上面が封止され、その後、取っ手部５３１、５４１の下縁部を、袋表面５３へ袋表面５３、５４から持ち上げると、袋表面５３、５４に穴５３２、５４２が形成される。持ち上げられた取っ手部５３１、５４１の下縁部を、折巻き部５３０、５４０と重ねて折畳んで形成することで、折り辺５５の緩みを防止することができる。そして穴５３２、５４２の上縁の強度が増加する。
【００２２】
図８を参照する。ユーザは、指６で本考案の取っ手部５３１、５４１を持上げることができ、穴５３２、５４２に指６を貫入したときに、取っ手部５３１、５４１の下縁部が折り辺５５を覆い、これにより、折り辺５５の緩みを防止することができる。且つ袋５の重量により指６に加える圧力を減少することもでき、本考案の袋を持上げるときの快適性を増加することができる。
【００２３】
図９を参照する。本考案の取っ手部５３１、５４１に形成される穴５３２、５４２は、オートバイなどの車両７の固定フック７１、又はその他製品や場所等に設けられた固定フック（図示せず）に掛けることができ、且つ折り辺５５の緩みを防止できる。取っ手部５３１、５４１の下縁部に固定フック７１を押付けることにより、本考案の袋５の取っ手部５３１、５４１の破損を回避することができる。
【００２４】
（実施例２）
図１０を参照する。袋表面５３、５４の内側の穴５３２、５４２の周縁には、穴５３２、５４２を補強する保護シート８が設けられ、保護シート８は筐体である。そうすると、取っ手部５３１、５４１を支持力が増加し、本考案の袋により重い品物を収容する場合には、品物重量が穴５３２、５４２に集中しないため、取っ手部５３１、５４１の変形や破裂を防止することができる。
【産業上の利用可能性】
【００２５】
本考案は、袋に適用することができる。
【符号の説明】
【００２６】
１ａ  平口袋  
１ｂ  平口袋  
１ｃ  平口袋  
１ｄ  平口袋  
２ａ  袋開口  
２ｂ  袋開口  
２ｃ  袋開口  
３ｃ  縄  
４ｂ  取っ手  
４ｄ  取っ手  
５    本体  
６    指  
７    車両  
８    保護片  
２１ａ  折りコーナー  
４１ｄ  補強シート  
５１    袋開口  
５２    側面  
５３,５４  袋表面  
５５    折り辺  
７１    固定フック  
５２１  折り線  
５３０，５４０  折巻き部  
５３１，５４１  取っ手部  
５３２，５４２  穴  
５３３，５４３  引裂き線
【図１】
0003160983.tif 000003
【図２】
0003160983.tif 000004
【図３】
0003160983.tif 000005
【図４】
0003160983.tif 000006
【図５】
0003160983.tif 000007
【図６】
0003160983.tif 000008
【図７】
0003160983.tif 000009
【図８】
0003160983.tif 000010
【図９】
0003160983.tif 000011
【図１０】
0003160983.tif 000012